(57)【要約】【課題】空気の状態の変化に対する風量の追従性と、騒音の急激な変化の抑制のバランスに配慮した制御を可能とすることを目的とする。【解決手段】制御部において空気状態算出部の情報を用いて、送風ファンの風量を自動で切り替える際に、通常制御において送風ファンの通常目標回転数に到達させるときの通常制御回転数変化速度と、睡眠制御において送風ファンの睡眠目標回転数に到達させるときの睡眠制御回転数変化速度を備え、睡眠制御回転数変化速度は、通常制御回転数変化速度よりも小さくすることで空気の状態の変化に対する風量の追従性と、騒音の急激な変化の抑制のバランスに配慮した制御を行うことができる送風装置を得られる。【選択図】図４
2020159658.tif 000002
【特許請求の範囲】
【請求項１】
吸込口と吹出口と通風路とを有する筐体と、
前記吸込口から前記通風路を介して前記吹出口に空気を導く送風ファンと、
室内空気の温度又は湿度又は汚れ状態のいずれかを算出する空気状態算出部と、
前記空気状態算出部の情報を基に前記送風ファンの風量を制御する制御部と、を備え、
前記制御部は、前記送風ファンの風量を第一の風量パターンで制御する通常制御と、前記送風ファンの風量を第二の風量パターンで制御する睡眠制御と、を備え、
前記通常制御の前記第一の風量パターン及び前記睡眠制御の前記第二の風量パターンは、取得した前記空気状態算出部の情報に基づいて風量が変化し、
前記空気状態算出部で算出された所定の情報における前記第二の風量パターンにおける風量は、前記空気状態算出部で算出された前記所定の情報における前記第一の風量パターンにおける風量よりも小さくなるように設定され、
前記制御部は、前記空気状態算出部の情報を基に前記送風ファンの風量を変化させる場合、前記通常制御において前記送風ファンの通常目標回転数に到達させるときの通常制御回転数変化速度と、前記睡眠制御において前記送風ファンの睡眠目標回転数に到達させるときの睡眠制御回転数変化速度を備え、
前記睡眠制御回転数変化速度は、前記通常制御回転数変化速度よりも小さいことを特徴とする送風装置。
【請求項２】
前記制御部は、ユーザの指令によって前記送風ファンの風量を変化させる風量指令制御を備え、前記制御部は、前記風量指令制御において前記送風ファンの風量を変化させる場合、前記送風ファンの指令目標回転数に到達させるときの風量指令制御回転数変化速度を備え、
前記風量指令制御回転数変化速度は、前記通常制御回転数変化速度よりも大きいことを特徴とする請求項１に記載の送風装置。
【請求項３】
周囲の明るさを算出する照度センサを備え、前記制御部は、前記照度センサの算出値に基づいて、前記通常制御又は前記睡眠制御のいずれかの制御を選択することを特徴とする請求項１又は請求項２に記載の送風装置。
【請求項４】
外部機器からの指令によって前記通常制御又は前記睡眠制御のいずれかを選択することを特徴とする請求項１又は請求項２に記載の送風装置。
【請求項５】
吸込口と吹出口と通風路とを有する筐体と、
前記吸込口から前記通風路を介して前記吹出口に空気を導く送風ファンと、室内空気の温度又は湿度又は汚れ状態のいずれかを算出する空気状態算出部と、
前記空気状態算出部の情報を基に前記送風ファンの風量を制御する制御部と、を備えた送風機送風装置に用いられる制御プログラムであって、
前記制御プログラムは、前記送風ファンの風量を第一の風量パターンで制御する通常制御と、前記送風ファンの風量を第二の風量パターンで制御する睡眠制御と、を備え、
前記通常制御の前記第一の風量パターン及び前記睡眠制御の前記第二の風量パターンは、取得した前記空気状態算出部の情報に基づいて風量が変化し、
前記空気状態算出部で算出された所定の情報における前記第二の風量パターンにおける風量は、前記空気状態算出部で算出された前記所定の情報における前記第一の風量パターンにおける風量よりも小さくなるように設定され、
前記制御プログラムは、前記空気状態算出部の情報を基に前記送風ファンの風量を変化させる場合、前記通常制御において前記送風ファンの通常目標回転数に到達させるときの通常制御回転数変化速度と、前記睡眠制御において前記送風ファンの睡眠目標回転数に到達させるときの睡眠制御回転数変化速度とを備え、
前記睡眠制御回転数変化速度は、前記通常制御回転数変化速度よりも小さいことを特徴とする制御プログラム。
【発明の詳細な説明】
【技術分野】
【０００１】
本発明は、空気清浄機や加湿機等に使用される送風装置および送風装置に用いられる制御プログラムにおいて、風量の変化に伴う騒音の変化を抑制する制御に関するものである。
【背景技術】
【０００２】
従来、この種の送風装置の風量の変化に伴う騒音の変化を抑制する技術としては、ファンと熱交換部とファン及び熱交換部の運転を制御する制御部と室内の温度センサを備える空気調和機の風量制御方法が知られている。空気調和機は、風量設定方法として、ユーザが風量を選択する手動設定と、室内の温度に応じて制御部が風量を自動的に選択する自動設定を備えている。
【０００３】
そして、従来の空気調和機は、手動設定または自動設定により風量を段階的に切り換えるためファンにおけるモータの回転数を適宜制御している。例えば、風量設定方法を手動設定とした場合は、ファンのモータの回転数を速やかに目標回転数に到達させる制御を行う。一方、風量設定方法を前記自動設定とした場合は、ファンのモータの回転数を緩やかに目標回転数に到達させる制御している。
【０００４】
このように空気調和機に用いられるファンのモータの回転数を制御することにより、手動設定時には風量が速やかに変化するため、モータやファンの羽根から発生する騒音が急速に大きくなるように発生する。
【０００５】
一方、自動設定時には風量が緩やかに変化するため、モータや羽根から発生する騒音が徐々に大きくなるように急な騒音の発生を抑制することで、ユーザが感じる違和感や不快感を減ずる効果がある。（例えば、特許文献１参照）。
【先行技術文献】
【特許文献】
【０００６】
【特許文献１】特開平５−２２３３２９号公報
【発明の概要】
【発明が解決しようとする課題】
【０００７】
特許文献１に係る空気調和機においては、風量設定方法を自動設定とした場合に、モータや羽根から発生する騒音が徐々に大きくなるように急な騒音の発生を抑制することで、ユーザが感じる違和感や不快感を減ずる効果があった。
【０００８】
しかし、空気調和機が夜間の寝室空間に利用される場合には、自動設定における風量変化時の騒音抑制効果が不十分であり、多くのユーザが風量変化時の騒音に対して不快感を感じ、十分な睡眠を得られないという課題が生じていた。
【０００９】
さらに、夜間の静粛性を追求するため、自動設定における風量変化委時のファンのモータの回転数を目標回転数に到達させる速度を、より低下させると、快適な室温の調整に時間がかかりユーザが室内環境に不快感を感じてしまうという課題を有していた。
【００１０】
そこで本発明は、上記従来の課題を解決するものであり、夜間に風量が自動で変化する際にユーザが感じる騒音の変化に対する違和感を低減すると共に、昼間等において、ユーザが快適に過ごすことができる送風装置を提供することを目的とする。
【課題を解決するための手段】
【００１１】
そして、この目的を達成するために、本発明に係る送風装置は、吸込口と吹出口と通風路とを有する筐体と、前記吸込口から前記通風路を介して前記吹出口に空気を導く送風ファンと、室内空気の温度又は湿度又は汚れ状態のいずれかを算出する空気状態算出部と、前記空気状態算出部の情報を基に前記送風ファンの風量を制御する制御部と、を備え、前記制御部は、前記送風ファンの風量を第一の風量パターンで制御する通常制御と、前記送風ファンの風量を第二の風量パターンで制御する睡眠制御と、を備え前記通常制御の前記第一の風量パターン及び前記睡眠制御の前記第二の風量パターンは、取得した前記空気状態算出部の情報に基づいて風量が変化し、前記空気状態算出部で算出された所定の情報における前記第二の風量パターンにおける風量は、前記空気状態算出部で算出された前記所定の情報における前記第一の風量パターンにおける風量よりも小さくなるように設定され、前記制御部は、前記空気状態算出部の情報を基に前記送風ファンの風量を変化させる場合、前記通常制御において前記送風ファンの通常目標回転数に到達させるときの通常制御回転数変化速度と、前記睡眠制御において前記送風ファンの睡眠目標回転数に到達させるときの睡眠制御回転数変化速度を備え、前記睡眠制御回転数変化速度は、前記通常制御回転数変化速度よりも小さいことを特徴とするものであり、これにより所期の目的を達成するものである。
【発明の効果】
【００１２】
本発明の送風装置によれば、空気状態算出部によって算出された空気状態に応じて、風量を切り換えるために送風ファンの回転数を変化させる際に、目標回転数に到達させるための回転数変化速度について、睡眠制御時の回転数変化速度を通常制御時の回転数変化速度と比べて小さくすることで時間当たりの騒音の変化量を抑制することができる。
【００１３】
したがって、通常制御時の機器の性能は維持した上で、睡眠制御時に風量が自動で変化する際におけるユーザが感じる騒音の変化に対する違和感を低減できる、という効果を得ることができる。
【図面の簡単な説明】
【００１４】
【図１】本発明の実施の形態１に係る送風装置の概略構成を示すブロック図である。
【図２】本発明の実施の形態１に係る空気清浄機の側断面構成図である。
【図３】本発明の実施の形態１に係る空気清浄機の概略構成を示す斜視図である。
【図４】本発明の実施の形態１に係る空気清浄機の制御部の処理例を示すフローチャートである。
【図５】本発明の実施の形態１に係る空気清浄機の空気の汚染度と風量との関係を示したチャートである。
【図６】本発明の実施の形態１に係る空気清浄機の風量と送風ファンの回転数の関係を示したチャートである。
【発明を実施するための形態】
【００１５】
本発明に係る送風装置は、吸込口と吹出口と通風路とを有する筐体と、前記吸込口から前記通風路を介して前記吹出口に空気を導く送風ファンと、室内空気の温度又は湿度又は汚れ状態のいずれかを算出する空気状態算出部と、前記空気状態算出部の情報を基に前記送風ファンの風量を制御する制御部と、を備え、前記制御部は、前記送風ファンの風量を第一の風量パターンで制御する通常制御と、前記送風ファンの風量を第二の風量パターンで制御する睡眠制御と、を備え、前記通常制御の前記第一の風量パターン及び前記睡眠制御の前記第二の風量パターンは、取得した前記空気状態算出部の情報に基づいて風量が変化し、前記空気状態算出部で算出された所定の情報における前記第二の風量パターンにおける風量は、前記空気状態算出部で算出された前記所定の情報における前記第一の風量パターンにおける風量よりも小さくなるように設定され、さらに前記制御部は、前記空気状態算出部の情報を基に前記送風ファンの風量を変化させる場合、前記通常制御において前記送風ファンの通常目標回転数に到達させるときの通常制御回転数変化速度と、前記睡眠制御において前記送風ファンの睡眠目標回転数に到達させるときの睡眠制御回転数変化速度を備え、前記睡眠制御回転数変化速度は、前記通常制御回転数変化速度よりも小さくなるように設定される、という構成を有する。
【００１６】
これにより、送風装置は、空気状態算出部によって算出された空気状態に応じて風量を切り換えるために回転数を変化させる際に、睡眠制御時の回転数変化速度を通常制御時の回転数変化速度と比べて小さくすることで時間当たりの騒音の変化量を抑制することができるので、通常制御時の機器の性能は維持した上で、睡眠制御時に風量が自動で変化する際にユーザが感じる騒音の変化に対する違和感を低減することができる。
【００１７】
また、本発明に係る送風装置の前記制御部は、ユーザの指令によって前記送風ファンの風量を変化させる風量指令制御を備え、前記制御部は、前記風量指令制御において前記送風ファンの風量を変化させる場合、前記送風ファンの指令目標回転数に到達させるときの風量指令制御回転数変化速度を備え、前記風量指令制御回転数変化速度は、前記通常制御回転数変化速度よりも大きくなるように設定される、という構成としても良い。
【００１８】
これにより、送風装置は、風量指令制御によって、つまり、ユーザの操作によって風量を変更する場合は、風量の変化が速やかであり、ユーザが求める室内環境を速やかに提供することができるという効果を備えている。また、ユーザが自らの操作に応じて機器が速やかに反応した感触を得ることができる。また、送風装置は、通常制御時における通常制御回転数変化速度が、風量指令制御時における風量指令制御回転数変化速度より小さい構成である。したがって、通常制御時は、風量指令制御時よりも騒音と風量の変化が緩やかであり、睡眠制御時よりも空気状態の変化に対する風量の追従性が良く、快適な空間の創出を行うこができる。したがって、ユーザの使用環境に応じた適切な風量を提供し且つ騒音の急激な変化を抑制することが可能となる。
【００１９】
また、本発明に係る送風装置は、周囲の明るさを算出する照度センサを備え、前記制御部は、前記照度センサの算出値に基づいて 、前記通常制御又は前記睡眠制御のいずれかの制御を選択する、という構成としても良い。
【００２０】
これにより、送風装置は、部屋の明るさに応じて自動的に通常制御か睡眠制御かを切り換え可能なため、ユーザによる制御の選択操作を不要にすることができるという効果がある。
【００２１】
また、本発明に係る送風装置は、外部機器からの指令によって前記通常制御又は前記睡眠制御のいずれかを選択する、という構成としても良い。
【００２２】
これにより、送風装置は、外部機器からの指令によって自動的に通常制御か睡眠制御かを切り換え可能なため、ユーザによる制御の選択操作を不要にすることができ、外部機器の判断によって最適な室内環境を提供することができるという効果を備えている。
【００２３】
また、本発明に係る送風装置の制御プログラムは、吸込口と吹出口と通風路とを有する筐体と、前記吸込口から前記通風路を介して前記吹出口に空気を導く送風ファンと、室内空気の温度又は湿度又は汚れ状態のいずれかを算出する空気状態算出部と、前記空気状態算出部の情報を基に前記送風ファンの風量を制御する制御部と、を備えた送風機送風装置に用いられる制御プログラムであって、前記制御プログラムは、前記送風ファンの風量を第一の風量パターンで制御する通常制御と、前記送風ファンの風量を第二の風量パターンで制御する睡眠制御と、を備え、前記通常制御の前記第一の風量パターン及び前記睡眠制御の前記第二の風量パターンは、取得した前記空気状態算出部の情報に基づいて風量が変化し、前記空気状態算出部で算出された所定の情報における前記第二の風量パターンにおける風量は、前記空気状態算出部で算出された前記所定の情報における前記第一の風量パターンにおける風量よりも小さくなるように設定され、前記制御プログラムは、前記空気状態算出部の情報を基に前記送風ファンの風量を変化させる場合、前記通常制御において前記送風ファンの通常目標回転数に到達させるときの通常制御回転数変化速度と、前記睡眠制御において前記送風ファンの睡眠目標回転数に到達させるときの睡眠制御回転数変化速度とを備え、前記睡眠制御回転数変化速度は、前記通常制御回転数変化速度よりも小さくなるように設定される、という構成を有する。
【００２４】
これにより、送風装置の制御プログラムは、空気状態算出部によって算出された空気状態に応じて風量を切り換えるために回転数を変化させる際に、睡眠制御時の回転数変化速度を通常制御時の回転数変化速度と比べて小さくすることで時間当たりの騒音の変化量を抑制することができるので、通常制御時の機器の性能は維持した上で、睡眠制御時に風量が自動で変化する際にユーザが感じる騒音の変化に対する違和感を低減することができる。
【００２５】
以下、本発明の実施の形態について図面を参照しながら説明する。なお、以下の実施の形態は、本発明を具体化した一例であって本発明の技術的範囲を限定するものではない。また、全図面を通して、同一の部位については同一の符号を付して説明を省略している。さらに、各図面において、本発明に直接には関係しない各部の詳細については説明を省略している。
【００２６】
（実施の形態１）
図１に、本発明に係る送風装置の概略構成図を示す。図１に示すように、送風装置１００は、筐体１０１と吸込口１０２と通風路１０３と送風ファン１０４と吹出口１０５と空気状態算出部１０６と制御部１０７とを備える。電源や操作部等については図示および説明を省略する。
【００２７】
筐体１０１は、送風装置１００の内部と外部とを区切る外郭として機能し、主にプラスチック樹脂によって構成されている。吸込口１０２は、筐体１０１の表面に備えられ、機器外部の空気を筐体１０１内に取り入れる開口部として設けられる。
【００２８】
吹出口１０５は筐体１０１の表面に備えられ、筐体１０１内に取り入れた空気を機器外部に吹き出す開口部として設けられる。
【００２９】
送風ファン１０４は、吸込口１０２および吹出口１０５をつなぐ通風路１０３に備えられる。送風ファン１０４は、吸込口１０２から筐体１０１内に空気を取り入れ、吹出口１０５から室内に吹き出す。送風ファン１０４は、例えばファンおよびモータ等によって構成することができる。また、送風ファン１０４はモータの回転数を制御することで風量を調整する。
【００３０】
空気状態算出部１０６は、筐体１０１の表面もしくは筐体１０１内の通風路１０３等、空気に接する位置に備えられる。空気状態算出部１０６は、接した空気の温度又は湿度又は汚れ状態のいずれか少なくとも一つの状態を算出して制御部１０７に通知する。空気状態算出部１０６は、例えば温度センサや湿度センサ、空気中に含まれるほこりや微粒子等の数を計測するセンサ等によって構成することができる。なお、空気状態算出部１０６を筐体１０１の外部に配置して、通信によって制御部１０７に通知する構成としても良い。
【００３１】
制御部１０７は、マイクロコンピュータにて構成できる。つまり制御部１０７ の内部にＣＰＵ（Ｃｅｎｔｒａｌ Ｐｒｏｃｅｓｓｉｎｇ Ｕｎｉｔ） 、ＲＡＭ（Ｒａｎｄｏｍ Ａｃｃｅｓｓ Ｍｅｍｏｒｙ） 、ＲＯＭ（Ｒｅａｄ Ｏｎｌｙ Ｍｅｍｏｒｙ） 、および送風ファン１０４、空気状態算出部１０６等の制御部と接続される各部に対応する入出力端子が内部バスを介して接続されている。ＣＰＵは、例えばＲＡＭを作業領域として利用し、ＲＯＭに記憶されているプログラムを実行し、当該実行結果に基づいて出力端子を制御することにより例えば送風ファン１０４の動作を制御するが、詳しくは後述する。
【００３２】
図２に、本発明の送風装置を用いた空気清浄機の側断面構成図を、図３に、本発明の送風装置を用いた空気清浄機の概略構成を示す斜視図を示す。空気清浄機２００は、送風装置１００の構成に加えて、清浄部２０１と風向変更部２０２、照度センサ２０３を備える。清浄部２０１は通風路１０３に配置され、例えば一定の厚みを有する繊維やスポンジ状の素材からなり、内部に無数の孔を備えることで当該内部を空気が通過することができるいわゆるフィルタである。そして清浄部２０１は、無数の孔に吸込口１０２ から吸い込んだ空気を通過させることで、当該空気をろ過する。また、風向変更部２０２は、吹出口１０５ に吹出口１０５ から送風される風の風向を前後方向に変更するように設けられている。風向変更手段８ は、例えば樹脂で成型されたルーバーとルーバー駆動用のステッピングモータで構成されている。照度センサ２０３は、例えば空気清浄機２００の天面に配置され、周囲の明るさを算出し、制御部１０７に通知する。
【００３３】
以下、本実施の形態１における制御部１０７の制御の詳細について、図４を参照しながら説明する。図４は制御部１０７において、空気状態算出部１０６の算出結果を入力とした風量制御処理を示すフローチャートの一つ目の例である。ここで、Ｓを頭文字にして番号を割り振った、例えばＳ４０１などは処理ステップを指す。ただし、処理ステップを示す数値の大小と処理順序とは関係しない。なお、以降の説明においては、空気状態算出部１０６は空気の汚れ状態を算出するものとする。
【００３４】
まず、制御部１０７は、風量変更条件が成立するかどうかを確認する（Ｓ４０１）。制御部１０７は、ユーザ操作による風量指令制御の有無又は、空気状態算出部１０６で算出された空気の汚れ状態が所定の閾値を超えたかどうかを基に風量変更条件が成立するかどうかを判定する。もしくは、空気状態算出部１０６で算出された空気の汚れ状態が、前回の値から所定の閾値以上変化したか、を基に判定する、という構成にしても良い。
【００３５】
制御部１０７は、風量変更条件が成立すると判断した場合は、Ｓ４０２の処理へ移行する（Ｓ４０１Ｙｅｓ⇒Ｓ４０２）。一方、風量変更条件が成立しないと判断した場合は風量制御処理を終了する（Ｓ４０１Ｎｏ⇒ｅｎｄ）。
【００３６】
Ｓ４０１の判定において、Ｓ４０２処理に移行した場合、制御部１０７は、風量指令制御か風量指令制御以外かを確認し、風量指令制御以外の場合はＳ４０３の処理へ移行（Ｓ４０２風量指令制御以外⇒Ｓ４０３）、風量指令制御の場合はＳ４０９の処理へ移行する（Ｓ４０２風量指令制御⇒Ｓ４０９）。
【００３７】
Ｓ４０２の判定において、Ｓ４０３処理に移行した場合、制御部１０７は、現在の風量制御として通常制御と睡眠制御のどちらが選択されているかを確認し、通常制御の場合はＳ４０４の処理へ移行（Ｓ４０３通常制御⇒Ｓ４０４）、睡眠制御の場合はＳ４０５の処理へ移行する（Ｓ４０３睡眠制御⇒Ｓ４０５）。
【００３８】
Ｓ４０３の判定において、Ｓ４０４処理に移行した場合、制御部１０７は、空気の汚れ状態に基づいて第一の風量パターンから変更後の風量を設定し（Ｓ４０４）、続けて通常制御回転数変化速度を設定（Ｓ４０５）後に、Ｓ４０６の処理へ移行する。
【００３９】
一方、Ｓ４０３の判定において、Ｓ４０７処理に移行した場合、制御部１０７は、空気の汚れ状態に基づいて第二の風量パターンから変更後の風量を設定し（Ｓ４０７）、続けて睡眠制御回転数変化速度を設定（Ｓ４０８）後に、Ｓ４０６の処理へ移行する。
【００４０】
他方、Ｓ４０２の判定において、Ｓ４０９処理に移行した場合、制御部１０７は、ユーザ操作による風量指令制御により指定された風量を設定し（Ｓ４０９）、続けて風量指令制御回転数変化速度を設定（Ｓ４１０）後に、Ｓ４０６の処理へ移行する。
【００４１】
制御部１０７は、Ｓ４０６の処理において、Ｓ４０４およびＳ４０５、又はＳ４０７およびＳ４０８、又はＳ４０９およびＳ４１０のステップにおいて設定した風量および回転数変化速度を基に風量の変更制御を行う。
【００４２】
ここで、例えば、本送風装置を空気状態算出部で空気の汚れ状態を５段階で、風量を１から８の８段階で設定可能な空気清浄機に用いる場合を例にして風量変更制御の具体的な動作を説明する。図５に示すように、空気の汚れ状態１から５の各状態において、第二の風量パターンの風量は、第一の風量パターンの風量よりも小さいか、あるいは同じとなるように構成する。
【００４３】
また、図６に示すように、各風量に対応する送風ファンの回転数のテーブルを持ち、風量変更時には、このテーブルを参照して通常目標回転数又は睡眠目標回転数又は風量指令目標回転数を決定するように構成する。
【００４４】
また、通常制御回転数変化速度は１００［ｒｐｍ／秒］、睡眠制御回転数変化速度は１０［ｒｐｍ／秒］、風量指令制御回転数変化速度は２００［ｒｐｍ／秒］とする。
【００４５】
例えば通常制御時に汚れ状態が４から５に変化した場合、制御部１０７は、Ｓ４０１にて風量変更条件が成立すると判断する（Ｓ４０１Ｙｅｓ⇒Ｓ４０２）。続けて制御部１０７は、Ｓ４０２にて風量指令制御以外と判断する（Ｓ４０２風量指令制御以外⇒Ｓ４０３）。続けて制御部１０７は、Ｓ４０３にて通常制御であると判断する（Ｓ４０３通常制御⇒Ｓ４０４）。続けて制御部１０７は、Ｓ４０４にて空気の汚れ状態に基づいて第一の風量パターンから変更後の風量を８に設定する。続けて制御部１０７は、Ｓ４０５にて回転数変化速度として通常制御回転数変化速度を設定する。続けて制御部１０７は、Ｓ４０６にて風量変更制御を行う。風量変更制御において、変更前の風量６から変更後の風量８に変わるが、この際、送風ファン１０４の回転数を１２００［ｒｐｍ］から通常目標回転数の１６００［ｒｐｍ］に４秒かけて遷移させる（１６００［ｒｐｍ］-１２００［ｒｐｍ］＝４００［ｒｐｍ］、 ４００［ｒｐｍ］／１００［ｒｐｍ／秒］＝４［秒］）。
【００４６】
一方、例えば睡眠制御時に汚れ状態が４から５に変化した場合、制御部１０７は、Ｓ４０１にて風量変更条件が成立すると判断する（Ｓ４０１Ｙｅｓ⇒Ｓ４０２）。続けて制御部１０７は、Ｓ４０２にて風量指令制御以外と判断する（Ｓ４０２風量指令制御以外⇒Ｓ４０３）。続けて制御部１０７は、Ｓ４０３にて睡眠制御であると判断する（Ｓ４０３睡眠制御⇒Ｓ４０７）。続けて制御部１０７は、Ｓ４０７にて空気の汚れ状態に基づいて第二の風量パターンから変更後の風量を７に設定する。続けて制御部１０７は、Ｓ４０８にて回転数変化速度として睡眠制御回転数変化速度を設定する。続けて制御部１０７は、Ｓ４０６にて風量変更制御を行う。風量変更制御において、変更前の風量５から変更後の風量７に変わるが、この際、送風ファン１０４の回転数を１０００［ｒｐｍ］から睡眠目標回転数の１４００［ｒｐｍ］に４０秒かけて遷移させることとなる（１４００［ｒｐｍ］-１０００［ｒｐｍ］＝４００［ｒｐｍ］、 ４００［ｒｐｍ］／１０［ｒｐｍ／秒］＝４０［秒］）。
【００４７】
他方、ユーザ操作による風量指令制御にて例えば風量２から風量４への風量変更が指定された場合、制御部１０７は、Ｓ４０１にて風量変更条件が成立すると判断する（Ｓ４０１Ｙｅｓ⇒Ｓ４０２）。続けて制御部１０７は、Ｓ４０２にて風量指令制御と判断する（Ｓ４０２風量指令制御⇒Ｓ４０９）。続けて制御部１０７は、Ｓ４０９にてユーザ操作による風量指令制御により指定された変更後の風量である風量４を設定する。続けて制御部１０７は、Ｓ４１０にて回転数変化速度として風量指令制御回転数変化速度を設定する。続けて制御部１０７は、Ｓ４０６にて風量変更制御を行う。風量変更制御において、変更前の風量２から変更後の風量４に変わるが、この際、送風ファン１０４の回転数を４００［ｒｐｍ］から風量指令目標回転数の８００［ｒｐｍ］に２秒かけて遷移させることとなる（８００［ｒｐｍ］-４００［ｒｐｍ］＝４００［ｒｐｍ］、 ４００［ｒｐｍ］／２００［ｒｐｍ／秒］＝２［秒］）。
【００４８】
このような構成によれば、例えば昼間にユーザが風量制御として通常制御を選択している時は、制御部が空気の汚れ状態に応じて風量を切り換えるために回転数を変化させる際に、４秒間で変更後の風量に遷移するため、空気の汚れ状態が変化した場合の追従性に不満を持つ可能性を低減する効果を期待できる。
【００４９】
一方、例えば夜間にユーザが風量制御として睡眠制御を選択している時は、制御部が空気の汚れ状態に応じて風量を切り換えるために回転数を変化させる際に、４０秒間かけて変更後の風量に遷移するため、騒音の急激な変化を抑制できるので、ユーザが騒音の変化に対して感じる違和感を減らす効果を期待できる。また、空気状態の変化に対する風量の追従性は風量指令制御や通常制御よりも遅くなるが、ユーザが睡眠中や安静にしている場合には空気状態の変化に対する風量の追従性よりも騒音の変化が緩やかであることが重要視されるため問題となりにくい。
【００５０】
他方、風量指令制御によりユーザが意図的に風量を変更する際に、２秒間かけて変更後の風量に遷移するため、風量の変化が通常制御時や睡眠制御時と比べて速いため、ユーザが求める室内環境を速やかに提供することができると共に、ユーザが自らの操作に応じて機器が速やかに反応した感触を得るという効果を期待できる。
【００５１】
なお、通常制御と睡眠制御の切り替えは、操作部を用いたユーザ操作により切り替えを行っても良いが、制御部１０７が照度センサ２０３から通知された明るさが所定値以上か未満かによって切り替える構成としても良い。例えば照度が２０［ｌｕｘ］未満の場合に睡眠制御、２０［ｌｕｘ］以上の場合に通常制御を選択するようにしても良い。
【００５２】
このような構成によれば、制御部１０７は、部屋の明るさに応じて自動的に通常制御か睡眠制御かを切り換え可能なため、ユーザによる制御の選択操作を不要にすることができるという効果を期待できる。
【００５３】
また、制御部１０７は、外部機器からの指令によって前記通常制御又は前記睡眠制御のいずれかを選択する、という構成としても良い。
【００５４】
このような構成によれば、送風装置は、外部機器からの指令によって自動的に通常制御か睡眠制御かを切り換え可能なため、ユーザによる制御の選択操作を不要にすることができ、外部機器の判断によって最適な室内環境を提供することができるという効果を期待できる。
【産業上の利用可能性】
【００５５】
本発明にかかる送風装置は、空気の状態に応じて自動的に風量を切り換える機能のある空気清浄機、加湿機能付空気清浄機、加湿機、除湿機、空気調和機等に用いられる技術として有用である。
【符号の説明】
【００５６】
１００    送風装置
１０１    筐体
１０２    吸込口
１０３    通風路
１０４    送風ファン
１０５    吹出口
１０６    空気状態算出部
１０７    制御部
２００    空気清浄機
２０１    清浄部
２０２    風向変更部
２０３    照度センサ
【図１】
2020159658.tif 000003
【図２】
2020159658.tif 000004
【図３】
2020159658.tif 000005
【図４】
2020159658.tif 000006
【図５】
2020159658.tif 000007
【図６】
2020159658.tif 000008